(57)【要約】【課題】本発明は、発光効率を向上させることができるプラズマディスプレイパネルを提供するためのものである。【解決手段】本発明は、前面基板と後面基板が所定距離離隔して合着されたプラズマディスプレイパネルであって、前記後面基板は、アドレス電極と、前記アドレス電極と離隔して形成されたスキャン電極及びサステイン電極と、前記スキャン電極、サステイン電極及びアドレス電極を互いに絶縁させるように形成された誘電体層と、前記誘電体層の上部に形成された隔壁とを含み、前記誘電体層の厚さは差等的になされることを特徴とする。【選択図】図１
2007080820.tif 000002
【特許請求の範囲】
【請求項１】
前面基板と後面基板が所定距離離隔して合着されたプラズマディスプレイパネルであって、
前記後面基板は、
アドレス電極と、
前記アドレス電極と離隔して形成されたスキャン電極及びサステイン電極と、
前記スキャン電極、サステイン電極及びアドレス電極を互いに絶縁させるように形成された誘電体層と、
前記誘電体層の上部に形成された隔壁とを含み、
前記誘電体層の厚さは差等的になされることを特徴とするプラズマディスプレイパネル。
【請求項２】
前記誘電体層は、第１誘電体層と第２誘電体層とを含み、
前記第１誘電体層は平らな形態で前記アドレス電極を覆い、
前記第２誘電体層は、前記スキャン電極とサステイン電極との間の領域で残りの他の領域でよりさらに小さい厚さを有することを特徴とする請求項１記載のプラズマディスプレイパネル。
【請求項３】
前記第１誘電体層の厚さは前記第２誘電体層の厚さより小さいことを特徴とする請求項２記載のプラズマディスプレイパネル。
【請求項４】
前記第１誘電体層はフィルムタイプからなることを特徴とする請求項２記載のプラズマディスプレイパネル。
【請求項５】
前記アドレス電極は、前記スキャン電極と対応する位置に突出部を含むことを特徴とする請求項１記載のプラズマディスプレイパネル。
【請求項６】
前記スキャン電極とサステイン電極との間の距離は２００μｍ乃至５００μｍであることを特徴とする請求項１記載のプラズマディスプレイパネル。
【請求項７】
前記隔壁の側面と誘電体層の上部に蛍光膜が形成されることを特徴とする請求項１記載のプラズマディスプレイパネル。
【請求項８】
前面基板は、前記隔壁と直接当接することを特徴とする請求項１記載のプラズマディスプレイパネル。
【請求項９】
前記スキャン電極とサステイン電極は金属電極だけでなされることを特徴とする請求項１記載のプラズマディスプレイパネル。
【請求項１０】
隔壁が形成された前面基板と、
前記前面基板と所定距離離隔した後面基板とを含み、
前記後面基板は、
アドレス電極と、
前記アドレス電極と離隔して形成されたスキャン電極及びサステイン電極と、
前記スキャン電極、サステイン電極及びアドレス電極を互いに絶縁させるように形成された誘電体層を含み、
前記スキャン電極とサステイン電極との間の間隔は前記隔壁の高さよりさらに大きいことを特徴とするプラズマディスプレイパネル。
【請求項１１】
前記誘電体層の厚さは差等的になされることを特徴とする請求項１０記載のプラズマディスプレイパネル。
【請求項１２】
前記誘電体層は第１誘電体層と第２誘電体層とを含み、
前記第１誘電体層は平らな形態で前記アドレス電極を覆い、
前記第２誘電体層は、前記スキャン電極とサステイン電極との間の領域で残りの他の領域でよりさらに小さい厚さを有することを特徴とする請求項１０記載のプラズマディスプレイパネル。
【請求項１３】
前記第１誘電体層の厚さは前記第２誘電体層の厚さより小さいことを特徴とする請求項１２記載のプラズマディスプレイパネル。
【請求項１４】
前記第１誘電体層はフィルムタイプからなることを特徴とする請求項１２記載のプラズマディスプレイパネル。
【請求項１５】
前記アドレス電極は、前記スキャン電極と対応する位置に突出部を含むことを特徴とする請求項１０記載のプラズマディスプレイパネル。
【請求項１６】
前記スキャン電極とサステイン電極との間の距離は２００μｍ乃至５００μｍであることを特徴とする請求項１０記載のプラズマディスプレイパネル。
【請求項１７】
前記隔壁の側面と前記前面基板の下部に蛍光膜が形成されることを特徴とする請求項１０記載のプラズマディスプレイパネル。
【請求項１８】
前記スキャン電極及びサステイン電極は、金属電極だけでなされることを特徴とする請求項１０記載のプラズマディスプレイパネル。
【発明の詳細な説明】
【技術分野】
【０００１】
本発明は、プラズマディスプレイパネルに関する。
【背景技術】
【０００２】
一般に、プラズマディスプレイパネルは、隔壁で区画された放電セル（Cell）内に蛍光体層を含み、放電セルに駆動信号が印加できるように複数の電極（Electrode）を備える。
【０００３】
このようなプラズマディスプレイパネルは、放電セルに駆動信号を印加すれば、放電セル内に充填されている放電ガスが真空紫外線（Vacuum Ultraviolet rays）を発生する。このような真空紫外線が放電セル内に形成された蛍光体を発光させて映像を具現する。
【発明の開示】
【発明が解決しようとする課題】
【０００４】
本発明は、発光効率を向上させることができるプラズマディスプレイパネルを提供することをその目的とする。
【課題を解決するための手段】
【０００５】
本発明の一実施形態によれば、プラズマディスプレイパネルは、前面基板と後面基板が所定距離離隔して合着されて形成され、後面基板は、アドレス電極、アドレス電極と離隔して形成されたスキャン電極及びサステイン電極、スキャン電極、サステイン電極及びアドレス電極を互いに絶縁させるように形成された誘電体層、及び誘電体層の上部に形成された隔壁を含み、誘電体層の厚さは差等的になされることを特徴とする。
【０００６】
本発明の他の実施形態によれば、プラズマディスプレイパネルは、隔壁が形成された前面基板、前面基板と所定距離離隔した後面基板を含み、後面基板はアドレス電極、アドレス電極と離隔して形成されたスキャン電極及びサステイン電極、スキャン電極、サステイン電極及びアドレス電極を互いに絶縁させるように形成された誘電体層を含み、スキャン電極とサステイン電極との間の間隔は前記隔壁の高さより大きいことを特徴とする。
【発明を実施するための最良の形態】
【０００７】
図１は本発明の一実施形態に係るプラズマディスプレイパネルの斜視図であり、図２は図１のプラズマディスプレイパネルの断面図である。
【０００８】
図１及び図２を説明すれば、本発明の一実施形態に係るプラズマディスプレイパネルは、前面基板１０１と後面基板１１１とが一定間隔を置いて合着して形成される。
【０００９】
前面基板１０１はシリカ系列であるガラスからなり、後述する後面基板に形成された隔壁と直接当接する。すなわち、前面基板には放電のための電極が形成されなくて、これを絶縁させるための誘電層やはり形成されない。
【００１０】
後面基板１０３は、アドレス電極１０５、誘電体層１１１、１０７、維持電極対１０９、隔壁１１３及び蛍光膜１１５を含む。
【００１１】
ここで、維持電極対１０９はスキャン電極（Ｘ）とサステイン電極（Ｙ）から構成され、隔壁は前面基板と後面基板との間に放電セルを形成してプラズマディスプレイ放電空間１１７を形成する。
【００１２】
アドレス電極１０５は後面基板１０３の上に直線型で並んで形成される。この場合、アドレス電極は、アドレス放電の際、ジッタ特性を向上させることができるように多様な形状を有することができる。これに対しては後述する。
【００１３】
誘電体層は、第１誘電体層１０７と第２誘電体層１１１とを含み、第１誘電体層１０７は放電の際、放電電流を制限し、壁電荷の生成を容易にするために、アドレス電極の上部に平平な形態で形成される。
【００１４】
維持電極対１０９は、アドレス電極１０５と直交して第１誘電体層１０７の上部に形成される。維持電極対１０９を構成するスキャン電極（Ｘ）とサステイン電極（Ｙ）との間の間隔は、プラズマ放電の際、陽光柱領域で放電が発生して効率を向上させるためのロングギャップを有するようにし、好ましくは、スキャン電極とサステイン電極との間の間隔は隔壁の高さより大きく形成される。
【００１５】
この場合、スキャン電極とサステイン電極との間の間隔が放電セルの大きさによって変わることができるが、スキャン電極（Ｘ）及びサステイン電極（Ｙ）間の間隔は２００μｍ乃至５００μｍの範囲を有することが好ましい。
【００１６】
第２誘電層１１１は、プラズマ放電領域１１７を中心にして維持電極対１０９の電界集中部で厚さが薄くて、電界可用部で厚さが厚い差等的構造になるように維持電極対１０９を覆うように形成される。
【００１７】
すなわち、第２誘電体層は、スキャン電極とサステイン電極との間の領域で余りの他の領域でよりさらに小さい厚さを有するように形成される。
【００１８】
この場合、第１誘電体層の厚さは第２誘電体層の厚さより小さく形成され、第１誘電体層はグリーンシートのようなフィルムタイプで形成される。
【００１９】
このような第１誘電体層は、均等性が良いので、安定した放電を起こすことができる。
【００２０】
第１誘電層１０７及び第２誘電体層１１１の表面にはプラズマ放電時に発生されたスパッタリングによる誘電体層１０７、１１１の損傷を防止すると共に、２次電子の放電効率を上げるための保護膜（図示していない）が形成されることができる。
【００２１】
隔壁１１３は各々のセルが区分されるようにセルとセルとの間の第２誘電層１１１の上に形成される。また、隔壁１１３の側面及び底面には蛍光膜が形成される。
【００２２】
図３は、本発明の一実施形態に係るプラズマディスプレイパネルの電極配列構造を示す平面図である。
【００２３】
図３を説明すれば、後面基板に形成されたアドレス電極１０５は、第１誘電体層の上部に形成されたスキャン電極と対応する位置にスキャン電極とアドレス電極との間にアドレス放電の際、放電領域が広くなることができるように突出部１０５ａを含む。このような突出部１０５ａはアドレス電極の一側方向のみに突出していることができ、図示したように、アドレス電極の両側方向に突出することができる。
【００２４】
図４は、図２に示したプラズマディスプレイパネルの製造方法を説明するための図である。
【００２５】
図４を参照すれば、まず基板上に複数のアドレス電極１０５を並べて配列する（ステップＳ１０１）。この過程は通常の真空蒸着工程及び写真エッチング工程により遂行することができる。
【００２６】
次に、アドレス電極が形成された基板上に第１誘電層１０７を形成する（ステップＳ１０３）。この場合、第１誘電体層は誘電体スラリーをアドレス電極の上部に塗布して形成されることができるが、フィルムタイプのグリーンシートを用いてアドレス電極の上部に形成されることができる。
【００２７】
次に、第１誘電体層１０７の上にアドレス電極と直交するように維持電極対１０９を配列する（ステップＳ１０５）。維持電極対１０９は、真空蒸着工程及び写真エッチング工程により遂行することができ、ディスペンシング工程により形成されることができる。
【００２８】
次に、維持電極対１０９の上に第２誘電層１１１を形成する（Ｓ１０７）。第２誘電層１１２は塗布工程及び写真エッチング工程、または、サンドブラスティング工程を通じてパターン化することができる。本実施形態では、維持電極対１０９間の空間に存在する第２誘電層１１１が全てパターン化することと図示されているが、これに限定されず、第２誘電層１１１の一部のみパターン化したり、第１誘電層１０７の一部までパターン化することができる。
【００２９】
次に、第２誘電層１１１の上にサンドブラスト工程、または、写真エッチング工程など、通常の方法を使用して隔壁１１３を形成する（Ｓ１０９）。好ましくは、前記隔壁は写真エッチング工程を適用する場合、下板と隣接した部分の幅は広くて、上板に隣接した部分の幅は狭い形状で具現されることができる。
【００３０】
次に、各々の放電セルの下面及び隔壁の側面に蛍光体をディスペンシングすることで、下板の製作が完了する（Ｓ１１１）。
【００３１】
このような方法により、アドレス電極１０５、第１誘電層１０７、維持電極対１０９、第２誘電層１１１、隔壁１１３、及び蛍光体層１１５を下板１０３の上に形成した後、上板１０１と合着した後、真空排気し、キセノン（Ｘｅ）を含む２元または３元の不活性ガスを内部に注入してプラズマディスプレイパネルの製作を完了する。
【００３２】
図５は本発明の一実施形態に係る他のプラズマディスプレイパネルの斜視図であり、図６は図５のプラズマディスプレイパネルの断面図である。
【００３３】
図５及び図６を説明すれば、本発明の一実施形態に係る他のプラズマディスプレイパネルは、図１及び図２に図示されたプラズマディスプレイパネルの構造と同一な構造であるので、これに対する説明は省略する。但し、本実施形態は、隔壁が前面基板に形成され、蛍光膜が隔壁の側面と前面基板の下部に形成されるという点で図１及び図２に示したプラズマディスプレイパネルの構造と異なる。
【００３４】
また、本発明の一実施形態に係る他のプラズマディスプレイパネルの製造方法やはり図４に示した本発明の一実施形態と同一であるので、これに対する説明は省略する。
【００３５】
図７は、本発明に係るプラズマディスプレイパネルとこれを駆動するための駆動部を含んだプラズマディスプレイ装置を示す図である。図８は、本発明に係るプラズマディスプレイパネルの具体的な駆動方法を説明するための図である。
【００３６】
まず、図７を説明すれば、プラズマディスプレイ装置は、プラズマディスプレイパネル１０とこれを駆動するための駆動部及び制御部を含む。
【００３７】
プラズマディスプレイパネルは、互いに平行した多数のスキャン電極（Ｘ１、Ｘ２、・・・、Ｘｎ）、多数のサステイン電極（Ｙ１、Ｙ２、・・・、Ｙｎ）を含み、多数の維持電極及びスキャン電極に直交する方向に多数のアドレス電極（Ａ１、Ａ２、・・・、Ａｎ）が配列される。各々の電極は、維持駆動部２０、スキャン駆動部３０、及びデータ駆動部１００により駆動される。
【００３８】
制御部５０は、外部から受信された映像データによって各々の駆動部２０、３０、１００を制御する。
【００３９】
このようなプラズマディスプレイ装置は、次の図８のような方法で駆動される。
【００４０】
プラズマディスプレイパネルは１フレームが複数のサブフィールドに分けられ、各サブフィールドはまたリセット、アドレス、サステイン期間に分けられて駆動される。
【００４１】
図８を参照すれば、まず、初期化期間にスキャン電極（Ｘ）及び維持電極（Ｙ）に所定のリセット波形を順次に印加して全セルの初期条件を同一にする。
【００４２】
次に、アドレス期間に、後続する放電維持期間で放電されるセルを選択する動作を遂行する。放電セルは互いに直交するスキャン電極（Ｘ）とアドレス電極（Ａ）により選択され、セルに加えられた電圧は選択されたセルに放電を起こしてスキャン電極（Ｘ）の上には正の壁電荷を形成し、アドレス電極（Ａ）の上には負の壁電荷を各々形成する。
【００４３】
サステイン期間には、前記アドレス期間でオンされたセル（On-cell）に対してのみ維持放電が持続されるように放電開始電圧より低い放電維持電圧をスキャン電極（Ｘ）と放電維持電極（Ｙ）との間に加える。これによって、前記アドレス期間でスキャン電極（Ｘ）とアドレス電極（Ａ）により選択されて放電が発生したセルでのみ維持放電が持続される。
【００４４】
以上のように、本発明に係るプラズマディスプレイパネルを例示した図面を参照して説明したが、本発明は明細書に開示された実施形態と図面により限るのでなく、技術思想が保護される範囲内で応用されることができる。
【図面の簡単な説明】
【００４５】
【図１】本発明の一実施形態に係るプラズマディスプレイパネルの斜視図である。
【図２】図１のプラズマディスプレイパネルの断面図である。
【図３】本発明の一実施形態に係るプラズマディスプレイパネルの電極配列構造を示す平面図である。
【図４】図２に図示されたプラズマディスプレイパネルの製造方法を説明するための図である。
【図５】本発明の一実施形態に係る他のプラズマディスプレイパネルの斜視図である。
【図６】図５のプラズマディスプレイパネルの断面図である。
【図７】本発明に係るプラズマディスプレイパネルとこれを駆動するための駆動部を含んだプラズマディスプレイ装置を示す図である。
【図８】本発明に係るプラズマディスプレイパネルの具体的な駆動方法を説明するための図である。
【符号の説明】
【００４６】
１０１  前面基板
１０３  後面基板
１０５  アドレス電極
１０７  第１誘電体層
１０９  維持電極対
１１１  第２誘電体層
１１３  隔壁
１１５  蛍光膜
１１７  プラズマディスプレイ放電空間
【図１】
2007080820.tif 000003
【図２】
2007080820.tif 000004
【図３】
2007080820.tif 000005
【図４】
2007080820.tif 000006
【図５】
2007080820.tif 000007
【図６】
2007080820.tif 000008
【図７】
2007080820.tif 000009
【図８】
2007080820.tif 000010